(57)【特許請求の範囲】
【請求項１】
（ａ）側壁と、
（ｂ）該側壁に所定の間隔を置いて取り付けられた基板と、
（ｃ）前記側壁に対して前記基板の反対側に装着される印刷プロセスカートリッジと、
（ｄ）導電性の材料から成り、コイル状の座巻部、及び巻き部を垂直に折り曲げることによって、前記座巻部と一体に形成された接点部を備える接点圧縮ばねとを有するとともに、
（ｅ）前記側壁は、基板側に突出させて形成され、前記接点圧縮ばねを前記基板と側壁との間で案内するガイドを備え、
（ｆ）前記接点圧縮ばねは、一端において基板に固定され、他端において前記ガイドに外嵌され、かつ、ガイドによって前記基板と側壁との間で案内され、前記接点部が印刷プロセスカートリッジの接点と接触させられることを特徴とする電子写真記録装置。
【請求項２】
前記ガイドは、前記接点部を間に配設することができるように一対形成される請求項１に記載の電子写真記録装置。
【請求項３】
（ａ）所定の位置にスリットが形成された側壁と、
（ｂ）該側壁に所定の間隔を置いて取り付けられた基板と、
（ｃ）導電性の材料から成り、前記基板に固定されたコイル状の座巻部、及び巻き部を垂直に折り曲げることによって、前記座巻部と一体に形成された接点部を備える接点圧縮ばねとを有するとともに、
（ｄ）前記側壁は、基板側に突出させて形成され、前記接点圧縮ばねを前記基板と側壁との間で案内するガイドを備え、
（ｅ）前記接点圧縮ばねは、端部において前記ガイドに外嵌され、
（ｆ）前記垂直に折り曲げられた巻き部は、前記スリットに挿入されて側壁から突出し、印字プロセスカートリッジの接点と接触させられることを特徴とする電子写真記録装置。
【請求項４】
前記座巻部の端部が側壁に接触して保持され、前記接点部が側壁から突出する請求項１又は３に記載の電子写真記録装置。
【請求項５】
前記接点部を形成する巻き部の巻数が複数にされる請求項１又は３に記載の電子写真記録装置。
【発明の詳細な説明】
【０００１】
【発明の属する技術分野】
本発明は、電子写真記録装置に関するものである。
【０００２】
【従来の技術】
従来、電子写真記録装置においては、均一にかつ一様に帯電させられた感光体ドラムの表面を露光装置によって露光して静電潜像を形成し、該静電潜像を現像装置によって現像してトナー像を形成し、該トナー像を、転写装置によって記録媒体に転写し、定着装置によって定着するようになっている。
【０００３】
そして、前記感光体ドラム、現像装置等を一体にして印字プロセスカートリッジが形成され、該印字プロセスカートリッジが電子写真記録装置の記録装置本体に対して着脱自在に配設される。
図２は従来の電子写真記録装置の斜視図、図３は従来の電子写真記録装置の要部拡大図、図４は従来の電子写真記録装置の接点部の詳細図、図５は従来の電子写真記録装置の接点部の第１の状態図、図６は従来の電子写真記録装置の接点部の第２の状態図、図７は従来の電子写真記録装置の接点部の回止め機構部を示す図である。
【０００４】
図において、１０は電子写真記録装置の記録装置本体であり、印字プロセスカートリッジ１３が前記記録装置本体１０に対して着脱自在に配設される。また、１１はメインシャーシであり、該メインシャーシ１１の側壁１１Ａに所定の間隔を置いて基板１５が取り付けられる。
そして、前記印字プロセスカートリッジ１３の側面Ｓ１には、記録装置本体１０内の図示されない電源装置によって発生させられた高圧の電圧を印字プロセスカートリッジ１３内の図示されない感光体ドラム、現像装置等に印加したり、印字プロセスカートリッジ１３内の各種の図示されないセンサによって発生させられた検出信号を記録装置本体１０内の図示されない制御部に送ったりするための接点１３ａのほか、印字プロセスカートリッジ１３を記録装置本体１０に対して係止するための係止突起１３ｂ等が突出させて形成される。一方、前記側壁１１Ａの内周面Ｓ２には、接点ポスト１２の半球形の接点１２ｂを臨ませるための穴１１ａのほか、前記係止突起１３ｂを受ける係止溝１１ｂ等が形成される。
【０００５】
したがって、前記係止突起１３ｂを係止溝１１ｂ内に挿入して前記印字プロセスカートリッジ１３を記録装置本体１０に装着すると、接点１２ｂと接点１３ａとが接触させられ、記録装置本体１０側と印字プロセスカートリッジ１３側とを導通させることができる。
そして、前記基板１５と側壁１１Ａとの間に、前記接点ポスト１２及び金属製の圧縮ばね１４が組み合わされて挟まれる。そのために、前記接点ポスト１２は、フランジ部１２ａ、接点１２ｂ及び嵌（かん）合部１２ｃを備え、前記フランジ部１２ａが側壁１１Ａに対して当接自在にされ、前記接点１２ｂが穴１１ａを貫通させられるようになっている。また、前記圧縮ばね１４は、一端が基板１５に固定され、他端が前記嵌合部１２ｃに対して外嵌させられる。
【０００６】
したがって、通常は、前記圧縮ばね１４の付勢力によってフランジ部１２ａと側壁１１Ａとが接触させられ、接点１２ｂが側壁１１Ａ内に大きく突出させられるが、印字プロセスカートリッジ１３を記録装置本体１０に装着すると、接点１２ｂと接点１３ａとが接触させられ、前記接点ポスト１２は圧縮ばね１４の付勢力に抗して矢印Ａ方向に移動させられる。
【０００７】
なお、前記側壁１１Ａの外周面Ｓ３には、回止め用の突起１６が基板１５に向けて突出させて形成され、前記フランジ部１２ａには溝Ｍ１が形成され、前記突起１６と溝Ｍ１とが係止させられる。したがって、接点ポスト１２が回動するのを防止することができる。
【０００８】
【発明が解決しようとする課題】
しかしながら、前記従来の電子写真記録装置においては、圧縮ばね１４の他端を前記嵌合部１２ｃに対して外嵌させることによって接点ポスト１２及び圧縮ばね１４を組み合わせるようになっているので、接点ポスト１２と圧縮ばね１４との接触が悪くなり、記録装置本体１０側と印字プロセスカートリッジ１３側との導通が不安定になってしまう。
【０００９】
また、前記突起１６と溝Ｍ１との間にわずかなクリアランスが形成され、前記接点ポスト１２が回動するのを完全に防止することができないので、接点ポスト１２がわずかに回動するのに伴って、接点１２ｂと接点１３ａとが接離してしまう。その結果、接点１２ｂ、１３ａの表面に酸化膜が生じ、接点１２ｂと接点１３ａとの接触が悪くなり、記録装置本体１０側と印字プロセスカートリッジ１３側との導通が不安定になってしまう。
【００１０】
さらに、接点ポスト１２及び圧縮ばね１４を組み合わせるようになっているので、組立工数が多くなり、電子写真記録装置のコストが高くなってしまう。
本発明は、前記従来の電子写真記録装置の問題点を解決して、記録装置本体側と印字プロセスカートリッジ側との導通を安定させることができ、組立工数を少なくし、コストを低くすることができる電子写真記録装置を提供することを目的とする。
【００１１】
【課題を解決するための手段】
そのために、本発明の電子写真記録装置においては、側壁と、該側壁に所定の間隔を置いて取り付けられた基板と、前記側壁に対して前記基板の反対側に装着される印刷プロセスカートリッジと、導電性の材料から成り、コイル状の座巻部、及び巻き部を垂直に折り曲げることによって、前記座巻部と一体に形成された接点部を備える接点圧縮ばねとを有する。
そして、前記側壁は、基板側に突出させて形成され、前記接点圧縮ばねを前記基板と側壁との間で案内するガイドを備える。また、前記接点圧縮ばねは、一端において基板に固定され、他端において前記ガイドに外嵌され、かつ、ガイドによって前記基板と側壁との間で案内され、前記接点部が印刷プロセスカートリッジの接点と接触させられる。
【００１２】
【発明の実施の形態】
以下、本発明の実施の形態について図面を参照しながら詳細に説明する。
図１は本発明の第１の実施の形態における電子写真記録装置の接点部の詳細図、図８は本発明の第１の実施の形態における電子写真記録装置の接点圧縮ばねの拡大図、図９は本発明の第１の実施の形態における電子写真記録装置の接点圧縮ばねの嵌入状態を示す図、図１０は本発明の第１の実施の形態における電子写真記録装置の接点部の第１の状態図、図１１は本発明の第１の実施の形態における電子写真記録装置の接点部の第２の状態図、図１２は本発明の第１の実施の形態における電子写真記録装置の接点部の詳細図である。
【００１３】
図において、１０は電子写真記録装置の記録装置本体、１３は該記録装置本体１０に対して着脱自在に配設される印字プロセスカートリッジである。また、１１はメインシャーシであり、該メインシャーシ１１の側壁１１Ａに所定の間隔を置いて基板１５が取り付けられる。
そして、前記印字プロセスカートリッジ１３の側面Ｓ１には、記録装置本体１０内の図示されない電源装置によって発生させられた高圧の電圧を印字プロセスカートリッジ１３内の図示されない感光体ドラム、現像装置等に印加したり、印字プロセスカートリッジ１３内の各種の図示されないセンサによって発生させられた検出信号を記録装置本体１０内の図示されない制御部に送ったりするための接点１３ａのほか、印字プロセスカートリッジ１３を記録装置本体１０に対して係止するための係止突起１３ｂ等が突出させて形成される。一方、前記側壁１１Ａの内周面Ｓ２には、導電性の材料によって形成された接点圧縮ばね２２の接点部２２ａを臨ませるために、スリット１１ｃのほか、前記係止突起１３ｂを受ける係止溝１１ｂ等が形成される。
【００１４】
したがって、前記係止突起１３ｂを係止溝１１ｂ内に挿入して前記印字プロセスカートリッジ１３を記録装置本体１０に装着すると、接点部２２ａと接点１３ａとが接触させられ、記録装置本体１０側と印字プロセスカートリッジ１３側とを導通させることができる。
そして、前記基板１５と側壁１１Ａとの間に前記接点圧縮ばね２２が挟まれる。該接点圧縮ばね２２は、複数の巻き部から成り、圧縮機能を有するコイル状の座巻部２２ｂ、及び該座巻部２２ｂと一体に形成された接点部２２ａを有し、該接点部２２ａは、１〜３個の巻き部を垂直に折り曲げることによって形成される。なお、前記接点部２２ａの巻数を複数にすることによって、接点部２２ａの強度を高くすることができるだけでなく、接点１３ａとの接触面積を大きくすることができる。
【００１５】
また、前記接点圧縮ばね２２は、一端が圧接部１５ａを介して基板１５に固定され、座巻部２２ｂの端部２２ｃが側壁１１Ａに対して当接自在とされ、前記接点部２２ａがスリット１１ｃを貫通させられるようになっている。なお、該スリット１１ｃの幅は、前記接点部２２ａの幅よりわずかに広くされる。
一方、前記側壁１１Ａにおいては、円柱を半割りにした一対のガイド１１ｄが基板１５に向けて突出させて形成され、前記ガイド１１ｄに前記座巻部２２ｂが外嵌され、保持される。前記ガイド１１ｄは互いに前記スリット１１ｃの幅と等しい幅の間隔を置いて配設され、前記座巻部２２ｂの内径はガイド１１ｄの外径よりわずかに大きくされる。
【００１６】
したがって、通常は、前記接点圧縮ばね２２の付勢力によって端部２２ｃが側壁１１Ａと接触させられ、接点部２２ａが側壁１１Ａ内に大きく突出させられるが、印字プロセスカートリッジ１３を記録装置本体１０に装着すると、接点圧縮ばね２２の付勢力によって接点部２２ａと接点１３ａとが接触させられ、前記接点圧縮ばね２２は矢印Ｂ方向に圧縮される。このとき、前記接点圧縮ばね２２の一端は基板１５に固定されているので、該基板１５と接点１３ａとが導通させられる。このとき、前記座巻部２２ｂがガイド１１ｄによって保持されるので、前記接点部２２ａと接点１３ａとを確実に接触させることができる。
【００１７】
このように、接点圧縮ばね２２に接点部２２ａが一体に形成されるので、該接点部２２ａと接点１３ａとを接触させるだけで、基板１５と接点１３ａとが導通させられることになる。したがって、記録装置本体１０側と印字プロセスカートリッジ１３側との導通を安定させることができる。
また、前記接点圧縮ばね２２が基板１５に固定され、かつ、接点部２２ａが一対のガイド１１ｄ間に配設されるだけでなく、スリット１１ｃに挿入されるので、接点部２２ａが回動するのを防止することができる。したがって、接点部２２ａと接点１３ａとが接離することがないので、接点部２２ａ及び接点１３ａの表面に酸化膜が生じることがなく、接点部２２ａと接点１３ａとの接触を良好にすることができる。その結果、記録装置本体１０側と印字プロセスカートリッジ１３側との導通を安定させることができる。
【００１８】
さらに、接点圧縮ばね２２に接点部２２ａが一体に形成されるので、組立工数を少なくすることができ、電子写真記録装置のコストを低くすることができる。また、前記接点部２２ａの円弧面が接点１３ａのガイドを兼ねているので、印字プロセスカートリッジ１３を記録装置本体１０に装着する際の操作性を高くすることができる。
【００１９】
次に、本発明の第２の実施の形態について説明する。
図１３は本発明の第２の実施の形態における電子写真記録装置の接点圧縮ばねの嵌入状態を示す図である。
図において、１１ｃはスリット、１１ｅは接点圧縮ばね２２を外側から矢印Ａ方向に案内する筒状のガイドであり、該ガイド１１ｅはメインシャーシ１１（図１）から基板１５に向けて突出させて形成される。
【００２０】
なお、本発明は前記実施の形態に限定されるものではなく、本発明の趣旨に基づいて種々変形させることが可能であり、それらを本発明の範囲から排除するものではない。
【００２１】
【発明の効果】
以上詳細に説明したように、本発明によれば、電子写真記録装置においては、側壁と、該側壁に所定の間隔を置いて取り付けられた基板と、前記側壁に対して前記基板の反対側に装着される印刷プロセスカートリッジと、導電性の材料から成り、コイル状の座巻部、及び巻き部を垂直に折り曲げることによって、前記座巻部と一体に形成された接点部を備える接点圧縮ばねとを有する。
そして、前記側壁は、基板側に突出させて形成され、前記接点圧縮ばねを前記基板と側壁との間で案内するガイドを備える。また、前記接点圧縮ばねは、一端において基板に固定され、他端において前記ガイドに外嵌され、かつ、ガイドによって前記基板と側壁との間で案内され、前記接点部が印刷プロセスカートリッジの接点と接触させられる。
【００２２】
この場合、接点圧縮ばねに接点部が一体に形成されるので、接点部と印字プロセスカートリッジの接点とを接触させるだけで、基板と接点とが導通させられることになる。したがって、記録装置本体側と印字プロセスカートリッジ側との導通を安定させることができる。
【００２３】
さらに、接点圧縮ばねに接点部が一体に形成されるので、組立工数を少なくすることができ、電子写真記録装置のコストを低くすることができる。
【図面の簡単な説明】
【図１】本発明の第１の実施の形態における電子写真記録装置の接点部の詳細図である。
【図２】従来の電子写真記録装置の斜視図である。
【図３】従来の電子写真記録装置の要部拡大図である。
【図４】従来の電子写真記録装置の接点部の詳細図である。
【図５】従来の電子写真記録装置の接点部の第１の状態図である。
【図６】従来の電子写真記録装置の接点部の第２の状態図である。
【図７】従来の電子写真記録装置の接点部の回止め機構部を示す図である。
【図８】本発明の第１の実施の形態における電子写真記録装置の接点圧縮ばねの拡大図である。
【図９】本発明の第１の実施の形態における電子写真記録装置の接点圧縮ばねの嵌入状態を示す図である。
【図１０】本発明の第１の実施の形態における電子写真記録装置の接点部の第１の状態図である。
【図１１】本発明の第１の実施の形態における電子写真記録装置の接点部の第２の状態図である。
【図１２】本発明の第１の実施の形態における電子写真記録装置の接点部の詳細図である。
【図１３】本発明の第２の実施の形態における電子写真記録装置の接点圧縮ばねの嵌入状態を示す図である。
【符号の説明】
１１Ａ    側壁
１１ｃ    スリット
１１ｄ、１１ｅ    ガイド
１３    印字プロセスカートリッジ
１３ａ    接点
１５    基板
２２    接点圧縮ばね
２２ａ    接点部
２２ｂ    座巻部
【図１】
0003678905.tif 000002
【図２】
0003678905.tif 000003
【図３】
0003678905.tif 000004
【図４】
0003678905.tif 000005
【図５】
0003678905.tif 000006
【図６】
0003678905.tif 000007
【図７】
0003678905.tif 000008
【図８】
0003678905.tif 000009
【図９】
0003678905.tif 000010
【図１０】
0003678905.tif 000011
【図１１】
0003678905.tif 000012
【図１２】
0003678905.tif 000013
【図１３】
0003678905.tif 000014